(57)【要約】【課題】ゲルの安定性および耐着色性に優れた吸水性樹脂組成物を提供すること。【解決手段】吸水性樹脂、含酸素還元性無機塩、アミノカルボン酸系金属キレート剤および有機酸化防止剤を含有してなる吸水性樹脂組成物、前記吸水性樹脂組成物と親水性繊維とを含有する吸収体、ならびに液体透過性シートと液体不透過性シートとの間に、前記吸収体が保持されてなる吸収性物品。【選択図】なし【特許請求の範囲】
【請求項１】
吸水性樹脂、含酸素還元性無機塩、アミノカルボン酸系金属キレート剤および有機酸化防止剤を含有してなる吸水性樹脂組成物。
【請求項２】
含酸素還元性無機塩の含有量が、吸水性樹脂１００重量部に対して０．０１〜５重量部である請求項１記載の吸水性樹脂組成物。
【請求項３】
アミノカルボン酸系金属キレート剤の含有量が、吸水性樹脂１００重量部に対して０．０１〜５重量部である請求項１または２記載の吸水性樹脂組成物。
【請求項４】
有機酸化防止剤の含有量が、吸水性樹脂１００重量部に対して０．００１〜５重量部である請求項１〜３いずれか記載の吸水性樹脂組成物。
【請求項５】
含酸素還元性無機塩が、亜硫酸塩、亜硫酸水素塩、ピロ亜硫酸塩、亜二チオン酸塩および亜硝酸塩からなる群から選ばれた少なくとも１種である請求項１〜４いずれか記載の吸水性樹脂組成物。
【請求項６】
アミノカルボン酸系金属キレート剤が、エチレンジアミン四酢酸、ヒドロキシエチレンジアミン三酢酸、ジエチレントリアミン五酢酸、トリエチレンテトラミン六酢酸、ｔｒａｎｓ−１，２−ジアミノシクロヘキサン四酢酸およびこれらの塩からなる群から選ばれた少なくとも１種である請求項１〜５いずれか記載の吸水性樹脂組成物。
【請求項７】
有機酸化防止剤が、アスコルビン酸類、エリソルビン酸類、没食子酸類、プロトカテキュ酸類、ベンズイミダゾール類およびアルキルヒドロキシアニソール類からなる群から選ばれた少なくとも１種である請求項１〜６いずれか記載の吸水性樹脂組成物。
【請求項８】
請求項１〜７いずれか記載の吸水性樹脂組成物と親水性繊維とを含有する吸収体。
【請求項９】
液体透過性シートと液体不透過性シートとの間に、請求項８記載の吸収体が保持されてなる吸収性物品。
【発明の詳細な説明】
【技術分野】
【０００１】
本発明は、吸水性樹脂組成物に関する。さらに詳しくは、吸水性樹脂組成物、それが用いられた吸収体および吸収性物品に関する。
【背景技術】
【０００２】
紙おむつや生理用ナプキン等の吸収性物品は、一般に、親水性繊維および吸水性樹脂で構成される吸収体を、身体に接する側に配される液体透過性シートとその反対側に配される液体不透過性シートとの間に挟むことによって形成されている。
【０００３】
近年、吸収体やそれが用いられた紙おむつや生理用ナプキン等は、携帯時の利便性や快適な装着感を達成するために、薄型化される傾向がある。その薄型化に伴い、多量の液体を吸収した場合であっても逆戻りや漏れを減少させるために、吸収体に用いられる親水性繊維の量を減らし、吸水性樹脂の量を増やした吸収体の開発が検討されている。
【０００４】
しかし、吸水性樹脂が人尿等の体液を吸収することによって生成したゲルは、一般に、経時的に劣化するため、その吸収性が低下するようになる。また、ゲルの劣化がさらに進行すると、吸水性樹脂自体が部分的に分解するため、ゲルから水溶性溶解物が溶出するようになる。
【０００５】
したがって、この吸水性樹脂が用いられた製品を人体と接触させて使用した場合には、溶出した水溶性溶解物が皮膚に付着し、かぶれ等が発生するおそれがある。
【０００６】
さらに、吸水性樹脂量が多い吸収体では、吸水性樹脂同士が互いに接触した状態でゲルが劣化するため、溶出した水溶性溶解物がゲル粒子間の隙間を閉塞し、液体が吸水性樹脂に浸透するのが妨げられる現象、いわゆる「ゲルブロッキング」が生じやすくなる。このゲルブロッキングは、吸収体の液漏れの要因の１つとして考えられている。
【０００７】
また、吸水性樹脂は、放置しておくと熱や湿度等の外的要因によって黄色や茶色に着色することがある。特に、紙おむつや生理用ナプキン等の吸収性物品中の吸水性樹脂が着色している場合、その外観が損なわれるため、商品価値は著しく低下する。
【０００８】
したがって、吸収性物品に使用される吸水性樹脂は、夏場の倉庫内のような高温高湿下の厳しい環境下に長期間にわたって保管されても、吸水性樹脂が着色しないことが求められている。
【０００９】
そこで、ゲルの安定性を向上させるために、含酸素還元性無機塩を含有する吸水性樹脂組成物（特許文献１）、トリポリリン酸またはその塩を吸水性樹脂に付着担持させた吸水性樹脂（特許文献２）等が提案されている。しかしながら、これらの吸水性樹脂には、十分な耐着色性を発現させることはできないという欠点がある。
【００１０】
また、吸水性樹脂のゲルの安定性および耐着色性を向上させるために、吸水性樹脂と還元性化合物と有機カルボン酸類および／またはその塩からなる吸水剤組成物（特許文献３）等が提案されている。しかしながら、この組成物には、十分なゲルの安定性および耐着色性を発現させることはできないという欠点がある。
【特許文献１】特開昭６３−１１８３７５号公報
【特許文献２】特開平１−３３１５８号公報
【特許文献３】特開２００３−５２７４２号公報
【発明の開示】
【発明が解決しようとする課題】
【００１１】
本発明は、ゲルの安定性および耐着色性に優れた吸水性樹脂組成物を提供することを目的とする。
【課題を解決するための手段】
【００１２】
本発明は、
〔１〕  吸水性樹脂、含酸素還元性無機塩、アミノカルボン酸系金属キレート剤および有機酸化防止剤を含有してなる吸水性樹脂組成物、
〔２〕  前記〔１〕記載の吸水性樹脂組成物と親水性繊維とを含有する吸収体、ならびに〔３〕  液体透過性シートと液体不透過性シートとの間に、前記〔２〕記載の吸収体が保持されてなる吸収性物品
に関する。
【発明の効果】
【００１３】
本発明の吸水性樹脂組成物は、ゲルの安定性および耐着色性に優れたものであり、該吸水性樹脂組成物を用いればこれらの物性に優れた吸収体および吸収性物品を得ることができる。
【発明を実施するための最良の形態】
【００１４】
本発明の吸水性樹脂組成物は、吸水性樹脂、含酸素還元性無機塩、アミノカルボン酸系金属キレート剤および有機酸化防止剤を含有する点に１つの大きな特徴がある。本発明の吸水性樹脂組成物は、かかる特徴を有するので、ゲルの安定性および耐着色性に優れるという効果が発現される。
【００１５】
本発明に用いられる吸水性樹脂としては、例えば、アクリル酸塩重合体の架橋物、でんぷん／アクリル酸塩グラフト共重合体の加水分解生成物の架橋物、ビニルアルコール／アクリル酸塩共重合体の架橋物、無水マレイン酸グラフトポリビニルアルコールの架橋物、架橋イソブチレン／無水マレイン酸共重合体、ポリアクリル酸部分中和物架橋体、酢酸ビニル／アクリル酸エステル共重合体のケン化物、α−ヒドロキシアクリル酸重合体の架橋物等が挙げられる。これらの中では、大量の水を吸収することができ、多少の荷重をかけても吸収した水を分子内に保持することができるので、アクリル酸塩重合体の架橋物が好ましい。このような吸水性樹脂の製造方法としては、特に限定されず、特開平３−２２７３０１号公報等に記載の公知の方法が挙げられる。
【００１６】
本発明に用いられる含酸素還元性無機塩としては、例えば、亜硫酸ナトリウム、亜硫酸カリウム、亜硫酸カルシウム、亜硫酸亜鉛、亜硫酸アンモニウム等の亜硫酸塩；亜硫酸水素ナトリウム、亜硫酸水素カリウム、亜硫酸水素カルシウム、亜硫酸水素アンモニウム等の亜硫酸水素塩；ピロ亜硫酸ナトリウム、ピロ亜硫酸カリウム、ピロ亜硫酸アンモニウム等のピロ亜硫酸塩；亜二チオン酸ナトリウム、亜二チオン酸カリウム、亜二チオン酸アンモニウム、亜二チオン酸カルシウム、亜二チオン酸亜鉛等の亜二チオン酸塩；三チオン酸カリウム、三チオン酸ナトリウム等の三チオン酸塩；四チオン酸カリウム、四チオン酸ナトリウム等の四チオン酸塩；チオ硫酸ナトリウム、チオ硫酸カリウム、チオ硫酸アンモニウム等のチオ硫酸塩；亜硝酸ナトリウム、亜硝酸カリウム、亜硝酸カルシウム、亜硝酸亜鉛等の亜硝酸塩等が挙げられる。これらの中では、ゲルの安定性および耐着色性を高める観点から、亜硫酸塩、亜硫酸水素塩、ピロ亜硫酸塩、亜二チオン酸塩、亜硝酸塩が好ましく、亜硫酸ナトリウム、亜硫酸カリウム等の亜硫酸塩；亜硫酸水素ナトリウム、亜硫酸水素カリウム等の亜硫酸水素塩がより好ましい。
【００１７】
含酸素還元性無機塩の含有量は、ゲルの安定性および耐着色性を高める観点から、吸水性樹脂１００重量部に対して、０．０１重量部以上、好ましくは０．０２重量部以上が望ましい。また、含酸素還元性無機塩をあまり多量に使用しても、その量に見合うだけのゲルの安定性および耐着色性が発現されず、却って経済的でなくなることから、含酸素還元性無機塩の含有量は、吸水性樹脂１００重量部に対して、５重量部以下、好ましくは３重量部以下であることが望ましい。したがって、これらの観点から、含酸素還元性無機塩の含有量は、吸水性樹脂１００重量部に対して、０．０１〜５重量部、好ましくは０．０２〜３重量部であることが望ましい。
【００１８】
本発明で用いられるアミノカルボン酸系金属キレート剤としては、例えば、イミノ二酢酸、ヒドロキシエチルイミノ二酢酸、ニトリロ三酢酸、ニトリロ三プロピオン酸、エチレンジアミン四酢酸、ヒドロキシエチレンジアミン三酢酸、ヘキサメチレンジアミン四酢酸、ジエチレントリアミン五酢酸、トリエチレンテトラミン六酢酸、ｔｒａｎｓ−１，２−−ジアミノシクロヘキサン四酢酸、ビス（２−ヒドロキシエチル）グリシン、ジアミノプロパノール四酢酸、エチレンジアミン−２−プロピオン酸、グリコールエーテルジアミン四酢酸、ビス（２−ヒドロキシベンジル）エチレンジアミン二酢酸およびこれらの塩等が挙げられる。これらの中では、着色防止効果に優れている観点から、エチレンジアミン四酢酸、ヒドロキシエチレンジアミン三酢酸、ヘキサメチレンジアミン四酢酸、ジエチレントリアミン五酢酸、トリエチレンテトラミン六酢酸、ｔｒａｎｓ−１，２−ジアミノシクロヘキサン四酢酸、ジアミノプロパノール四酢酸、グリコールエーテルジアミン四酢酸およびこれらの塩が好ましく、エチレンジアミン四酢酸、ヒドロキシエチレンジアミン三酢酸、ジエチレントリアミン五酢酸、トリエチレンテトラミン六酢酸、ｔｒａｎｓ−１，２−ジアミノシクロヘキサン四酢酸およびこれらの塩がより好ましい。
【００１９】
アミノカルボン酸系金属キレート剤の含有量は、十分な着色防止効果を発現させる観点から、０．０１重量部以上、好ましくは０．０５重量部以上、さらに好ましくは０．１重量部以上であることが望ましい。また、アミノカルボン酸系金属キレート剤をあまり多量に使用しても、その量に見合うだけの着色防止効果が発現されず、却って経済的でなくなることから、アミノカルボン酸系金属キレート剤の含有量は、吸水性樹脂１００重量部に対して、５重量部以下、好ましくは３重量部以下、さらに好ましくは２重量部以下であることが望ましい。したがって、これらの観点から、アミノカルボン酸系金属キレート剤の含有量は、吸水性樹脂１００重量部に対して、０．０１〜５重量部、好ましくは０．０５〜３重量部、さらに好ましくは０．１〜２重量部であることが望ましい。
【００２０】
本発明に用いられる有機酸化防止剤としては、特に限定されないが、Ｌ−アスコルビン酸、Ｌ−アスコルビン酸ナトリウム、Ｄ−アスコルビン酸、Ｄ−アスコルビン酸ナトリウム等のアスコルビン酸類；エリソルビン酸、エリソルビン酸ナトリウム等のエリソルビン酸類；没食子酸、没食子酸メチル、没食子酸エチル、没食子酸ｎ−プロピル、没食子酸イソアミル、没食子酸オクチル、没食子酸ラウリル等の没食子酸類；プロトカテキュ酸、プロトカテキュ酸エチル等のプロトカテキュ酸類；２−メルカプトベンズイミダゾール等のベンズイミダゾール類；ブチルヒドロキシアニソール等のアルキルヒドロキシアニソール類が挙げられる。これらの中では、電解質水溶液に対するゲルの安定性に優れていることから、アスコルビン酸類、エリソルビン酸類、没食子酸類が好ましく、Ｌ−アスコルビン酸、Ｌ−アスコルビン酸ナトリウム、エリソルビン酸ナトリウム、没食子酸ｎ−プロピルがより好ましい。
【００２１】
有機酸化防止剤の含有量は、電解質水溶液に対して十分なゲルの安定性を発現させる観点から、吸水性樹脂１００重量部に対して、０．００１重量部以上、好ましくは０．００５重量部以上であることが望ましい。また、有機酸化防止剤をあまり多量に使用しても、その量に見合うだけのゲルの安定性が発現されず、却って経済的でなくなることから、有機酸化防止剤の含有量は、吸水性樹脂１００重量部に対して、５重量部以下、好ましくは２重量部以下であることが望ましい。したがって、これらの観点から、有機酸化防止剤の含有量は、吸水性樹脂１００重量部に対して、０．００１〜５重量部、好ましくは０．００５〜２重量部であることが望ましい。
【００２２】
本発明の吸水性樹脂組成物は、例えば、吸水性樹脂、含酸素還元性無機塩、アミノカルボン酸系金属キレート剤および有機酸化防止剤を混合することにより得ることができる。これらの成分を混合する方法および混合する際の添加順序には、特に限定がない。
【００２３】
吸水性樹脂、含酸素還元性無機塩、アミノカルボン酸系金属キレート剤および有機酸化防止剤を混合する方法としては、例えば、（イ）吸水性樹脂を構成する重合前の単量体水溶液に含酸素還元性無機塩、アミノカルボン酸系金属キレート剤および有機酸化防止剤を添加して混合する方法；（ロ）吸水性樹脂の含水ゲル状物に含酸素還元性無機塩、アミノカルボン酸系金属キレート剤および有機酸化防止剤を添加して混合する方法；（ハ）吸水性樹脂を乾燥させた後に、含酸素還元性無機塩、アミノカルボン酸系金属キレート剤および有機酸化防止剤を吸水性樹脂に添加して混合する方法；（ニ）吸水性樹脂を有機溶媒中に分散させた後に含酸素還元性無機塩、アミノカルボン酸系金属キレート剤および有機酸化防止剤を添加して混合し、加熱・脱溶媒する方法等が挙げられる。これらの方法の中では、その操作が簡便であることから、前記（ハ）の方法が好ましい。
【００２４】
吸水性樹脂を乾燥させた後に含酸素還元性無機塩、アミノカルボン酸系金属キレート剤および有機酸化防止剤を吸水性樹脂に添加して混合する方法においては、アミノカルボン酸系金属キレート剤は、十分な着色防止効果を発現させる観点から、粒子径１０６μｍ以下の粒子の割合が５０重量％以上であることが好ましく、８０重量％以上であることがより好ましい。
【００２５】
吸水性樹脂を乾燥させた後に含酸素還元性無機塩、アミノカルボン酸系金属キレート剤および有機酸化防止剤を吸水性樹脂に添加して混合する際に用いられる混合機としては、例えば、ナウターミキサー、リボン型ブレンダー、クロスロータリーミキサー、コニカルブレンダー、双腕型ニーダー、スクリュー型ブレンダー、Ｖ字型ブレンダー、Ｗ字型ブレンダー、タービュライザー、メカノミル等が挙げられるが、本発明は、かかる例示のみに限定されるものではない。
【００２６】
本発明においては、前記吸水性樹脂組成物を用いて、吸収体を得ることができる。吸収体は、吸水性樹脂組成物と親水性繊維とを含有するものである。
【００２７】
親水性繊維としては、例えば、セルロース繊維、人工セルロース繊維等が挙げられる。なお、親水性繊維には、本発明の目的が阻害されない範囲内であれば、疎水性を有する合成繊維が含有されていてもよい。
【００２８】
吸収体における吸水性樹脂組成物の含有量は、尿等の体液を十分に吸収し、快適な装着感を付与する観点から、好ましくは４５重量％以上、より好ましくは５５重量％以上である。また、吸収体における吸水性樹脂組成物の含有量は、得られる吸収体の形態保持性を高めるために、親水性繊維等を含有させることを考慮して、好ましくは９５重量％以下、より好ましくは９０重量％以下である。
【００２９】
好適な吸収体の態様としては、例えば、吸水性樹脂組成物と親水性繊維とを均一な組成となるように混合することによって得られた混合分散体、２枚の層状の親水性繊維の間に吸水性樹脂組成物が挟まれたサンドイッチ構造体等が挙げられる。
【００３０】
前記吸収体を、例えば、液体透過性シートと、液体不透過性シートとの間に保持することにより、吸収性物品とすることができる。
【００３１】
液体透過性シートとしては、例えば、ポリエチレン、ポリプロピレン、ポリエステル等の繊維からなる、エアスルー型、スパンボンド型、ケミカルボンド型、ニードルパンチ型等の不織布等が挙げられる。
【００３２】
液体不透過性シートとしては、例えば、ポリエチレン、ポリプロピレン、ポリ塩化ビニル等の樹脂からなる合成樹脂フィルム等が挙げられる。
【００３３】
吸収性物品の種類には、特に限定がされない。その代表例としては、紙オムツ、生理用ナプキン、失禁パッド等の衛生材料、ペット用の尿吸収材料等をはじめ、パッキング材等の土木建築用資材、ドリップ吸収剤、保冷剤等の食品鮮度保持用材料、土壌用保水材等の農園芸用物品等が挙げられる。
【実施例】
【００３４】
以下、実施例および比較例により本発明をさらに詳しく説明するが、本発明はこれら実施例により何ら限定されるものではない。
【００３５】
製造例
撹拌機、還流冷却器、滴下ロート、温度計および窒素ガス導入管を備えた１０００ｍＬ容の五つ口円筒型丸底フラスコに、ｎ−ヘプタンを５００ｍＬ加えた。これに、ショ糖脂肪酸エステル０．９２ｇ添加して分散させ、昇温して溶解させた後、５５℃まで冷却した。
【００３６】
上記とは別に、５００ｍＬ容の三角フラスコに、８０重量％アクリル酸水溶液９２ｇを加えた。外部から冷却しながら、この三角フラスコに３０重量％水酸化ナトリウム水溶液１０２．２ｇを滴下し、アクリル酸の７５モル％を中和し、アクリル酸の部分中和物を調製した。さらに、水５０．２ｇ、重合開始剤の過硫酸カリウム０．１１ｇおよび架橋剤としてエチレングリコールジグリシジルエーテル１８．４ｍｇを添加し、１段目重合用の単量体水溶液を調製した。
【００３７】
この１段目重合用の単量体水溶液の全量を上記の五つ口円筒型丸底フラスコに撹拌下で加えて分散させ、系内を窒素ガスで十分に置換した後、昇温し、浴温を７０℃に保持して、重合反応を１時間行った後、室温まで冷却して重合スラリー液を得た。
【００３８】
さらに別の５００ｍＬ容の三角フラスコに、８０重量％アクリル酸水溶液１１９．１ｇを加え、冷却しながら３０重量％水酸化ナトリウム水溶液１３２．２ｇを滴下し、アクリル酸の７５モル％を中和し、水２７．４ｇ、過硫酸カリウム０．１４ｇおよびエチレングリコールジグリシジルエーテル３５．７ｍｇを添加し、２段目重合用の単量体水溶液を調製し、氷水浴内で冷却した。
【００３９】
この２段目重合用の単量体水溶液の全量を前記で得られた重合スラリー液に添加した後、再び系内を窒素で十分に置換した後に昇温し、浴温を７０℃に保持して、２段目の重合反応を２時間行った。重合反応終了後、ｎ−ヘプタンに分散させた含水ゲル状物から共沸蒸留により水分のみを系外に除去した。得られたゲル状物に２重量％エチレングリコールジグリシジルエーテル水溶液８．４４ｇを添加し、さらに水分およびｎ−ヘプタンを蒸留により除去して乾燥し、吸水性樹脂２１４．４ｇを得た。
【００４０】
実施例１
２Ｌ容のポリエチレン容器に、製造例で得られた吸水性樹脂１００ｇ、亜硫酸ナトリウム１ｇ、エチレンジアミン四酢酸二ナトリウム（粒子径１０６μｍ以下の粒子の割合が８６重量％）０．５ｇおよびＬ−アスコルビン酸０．０５ｇを仕込み、クロスロータリーミキサー〔明和工業（株）製、品番：ＣＭ−３〕を用いて、自転速度３０ｒｐｍ、公転速度３０ｒｐｍで１時間混合し、吸水性樹脂組成物１０１．５ｇを得た。
【００４１】
実施例２
２Ｌ容のポリエチレン容器に製造例で得られた吸水性樹脂１００ｇ、亜硫酸ナトリウム２ｇ、ジエチレントリアミン五酢酸（粒子径１０６μｍ以下の粒子の割合が８７重量％）０．７ｇおよびＬ−アスコルビン酸０．０２ｇを仕込み、クロスロータリーミキサー〔明和工業（株）製、品番：ＣＭ−３〕を用いて、自転速度３０ｒｐｍ、公転速度３０ｒｐｍで１時間混合し、吸水性樹脂組成物１０２．７ｇを得た。
【００４２】
実施例３
２Ｌ容のポリエチレン容器に製造例で得られた吸水性樹脂１００ｇ、亜硫酸水素ナトリウム２ｇ、エチレンジアミン四酢酸（粒子径１０６μｍ以下の粒子の割合が８８重量％）０．８ｇおよびエリソルビン酸ナトリウム０．１ｇを仕込み、クロスロータリーミキサー〔明和工業（株）製、品番：ＣＭ−３〕を用いて、自転速度３０ｒｐｍ、公転速度３０ｒｐｍで１時間混合し、吸水性樹脂組成物１０２．９ｇを得た。
【００４３】
実施例４
２Ｌ容のポリエチレン容器に製造例で得られた吸水性樹脂１００ｇ、ピロ亜硫酸カリウム２．５ｇ、トリエチレンテトラミン六酢酸（粒子径１０６μｍ以下の粒子の割合が９０重量％）１．２ｇおよび没食子酸ｎ−プロピル０．１ｇを仕込み、クロスロータリーミキサー〔明和工業（株）製、品番：ＣＭ−３〕を用いて、自転速度３０ｒｐｍ、公転速度３０ｒｐｍで１時間混合し、吸水性樹脂組成物１０３．８ｇを得た。
【００４４】
実施例５
２Ｌ容のポリエチレン容器に製造例で得られた吸水性樹脂１００ｇ、亜二チオン酸ナトリウム２．５ｇ、ｔｒａｎｓ−１，２−ジアミノシクロヘキサン四酢酸（粒子径１０６μｍ以下の粒子の割合が８６重量％）１ｇおよびプロトカテキュ酸エチル０．５ｇを仕込み、クロスロータリーミキサー〔明和工業（株）製、品番：ＣＭ−３〕を用いて、自転速度３０ｒｐｍ、公転速度３０ｒｐｍで１時間混合し、吸水性樹脂組成物１０４ｇを得た。
【００４５】
実施例６
２Ｌ容のポリエチレン容器に製造例で得られた吸水性樹脂１００ｇ、亜硝酸ナトリウム３ｇ、ヒドロキシエチレンジアミン三酢酸三ナトリウム（粒子径１０６μｍ以下の粒子の割合が８９重量％）１．５ｇおよびブチルヒドロキシアニソール１ｇを仕込み、クロスロータリーミキサー〔明和工業（株）製、品番：ＣＭ−３〕を用いて、自転速度３０ｒｐｍ、公転速度３０ｒｐｍで１時間混合し、吸水性樹脂組成物１０５．５ｇを得た。
【００４６】
実施例７
２Ｌ容のポリエチレン容器に製造例で得られた吸水性樹脂１００ｇ、亜硫酸ナトリウム１ｇ、エチレンジアミン四酢酸二ナトリウム（粒子径１０６μｍ以下の粒子の割合が３６重量％）０．５ｇおよびＬ−アスコルビン酸０．０５ｇを仕込み、クロスロータリーミキサー〔明和工業（株）製、品番：ＣＭ−３〕を用いて、自転速度３０ｒｐｍ、公転速度３０ｒｐｍで１時間混合し、吸水性樹脂組成物１０１．５ｇを得た。
【００４７】
比較例１
製造例で得られた吸水性樹脂をそのまま用いた。
【００４８】
比較例２
実施例１において、亜硫酸ナトリウム１ｇを用いない以外は実施例１と同様にして、吸水性樹脂組成物１００．６ｇを得た。
【００４９】
比較例３
実施例１において、エチレンジアミン四酢酸二ナトリウム０．５ｇを用いない以外は実施例１と同様にして、吸水性樹脂組成物１０１．１ｇを得た。
【００５０】
比較例４
実施例１において、Ｌ−アスコルビン酸０．０５ｇを用いない以外は実施例１と同様にして、吸水性樹脂組成物１０１．５ｇを得た。
【００５１】
評価
各実施例、および各比較例で得られた吸水性樹脂組成物および吸水性樹脂、ならびにそれらを用いて得られた吸収性物品の物性を、以下の方法により評価した。
【００５２】
（１）人尿吸収時のゲル安定性
成人男性から採取した人尿３９ｇを１００ｍＬ容のビーカーに分取し、吸水性樹脂組成物または吸水性樹脂１ｇを添加して、人尿吸収ゲルを作製した。この人尿吸収ゲルを４０℃の恒温槽内に２４時間放置した後、以下の評価基準に従って、ゲルの安定性を評価した。
【００５３】
〔評価基準〕
◎：ゲルの弾力性があり、強く押してもつぶれない。
○：ゲルの弾力性はあるが、強く押すとつぶれる。
△：ゲルの形状はあるが、軽くつまむとつぶれる。
×：ゲルの形状が崩れている。
【００５４】
（２）生理食塩水吸収時のゲル安定性
０．９重量％生理食塩水３９ｇを１００ｍＬ容のビーカーに分取し、これに吸水性樹脂組成物または吸水性樹脂１ｇを添加して、生理食塩水吸収ゲルを作製した。この生理食塩水吸収ゲルを４０℃の恒温槽内に２４時間放置した後、以下の評価基準に従って、ゲルの安定性を評価した。
【００５５】
〔評価基準〕
◎：ゲルの弾力性があり、強く押してもつぶれない。
○：ゲルの弾力性はあるが、強く押すとつぶれる。
△：ゲルの形状はあるが、軽くつまむとつぶれる。
×：ゲルの形状が崩れている。
【００５６】
（３）吸収性物品の耐着色性
吸水性樹脂組成物または吸水性樹脂１２ｇと解砕された木材パルプ９ｇとを乾式混合した。得られた混合物を、大きさが４０ｃｍ×１０ｃｍで重さが１ｇのティッシュに吹き付けた後、同じ大きさおよび重さのティッシュを重ねてシート状にした。得られたシートの全体に１９６ｋＰａの加重を３０秒間加えてプレスすることにより吸収体を作製した。この吸収体を、大きさ４０ｃｍ×１２ｃｍ、坪量２０ｇ／ｍ2 のポリエチレン製エアスルー型不織布と、同じ大きさ、重さ１ｇのポリエチレンシートとで挟み付けることにより、吸収性物品を作製した。
【００５７】
得られた吸収性物品を温度５０±２℃、相対湿度９０±２％に設定された恒温恒湿槽内に１０日間放置した後、吸収性物品中の吸水性樹脂組成物または吸水性樹脂の着色を目視で観察し、吸収性物品の耐着色性を以下の基準により評価した。
【００５８】
〔評価基準〕
Ａ：不織布を取り除き、吸収体をほぐして見ても、内部の吸水性樹脂は着色していない。
Ｂ：不織布を取り除かない状態で見たとき、吸水性樹脂による着色が認められないが、不織布を取り除き、吸収体をほぐすと、一部の吸水性樹脂に着色が認められる。
Ｃ：不織布を取り除かない状態で見ても、吸水性樹脂による着色が認められる。
【００５９】
各実施例および各比較例で使用した含酸素還元性無機塩、アミノカルボン酸系金属キレート剤および有機酸化防止剤の種類および添加量（重量部）を表１に示す。
【００６０】
【表１】
2005029751.tif 000002
【００６１】
また、各実施例および各比較例で得られた吸水性樹脂組成物および吸水性樹脂の物性として、前述の方法に従い、（１）人尿吸収時のゲル安定性、（２）生理食塩水吸収時のゲル安定性を評価した。さらに、得られた吸水性樹脂組成物または吸水性樹脂を用いて作製した耐着色性試験用吸収性物品を用いて前述の（３）吸収性物品の耐着色性を評価した。その結果を表２に示す。
【００６２】
【表２】
2005029751.tif 000003
【００６３】
表２に示された結果から、各実施例によれば、ゲルの安定性に優れ、高温高湿下であっても耐着色性に優れた吸水性樹脂組成物が得られることがわかる。また、粒子径１０６μｍ以下の粒子の割合が３６重量％であるアミノカルボン酸系金属キレート剤が用いられた実施例７の吸収性物品よりも、粒子径１０６μｍ以下の粒子の割合が実施例７よりも高い８０重量％以上のアミノカルボン酸系金属キレート剤が用いられた実施例１〜６の吸収性物品の方がより耐着色性に優れていることがわかる。
【産業上の利用可能性】
【００６４】
本発明によれば、ゲルの安定性および耐着色性に優れた吸水性樹脂組成物を提供することができ、該吸水性樹脂組成物を用いればこれらの物性に優れた吸収体および吸収性物品を提供することができる。